(57)【特許請求の範囲】
【請求項１】
長手方向に沿った両側部に溝部が形成されてなる複数本の合成木材が、バルコニー周縁に立設されたバルコニーフレームの外側に、水平方向に沿って並行するように、間隙を存して設けられてなり、
これら合成木材の間隙には、断面略コ字状の溝形となされ、溝底に複数の通気孔が穿孔されてなる長尺の目地材が、合成木材の溝部に嵌め込むようにして設けられ、バルコニーの内側は、これら合成木材と目地材とが略面一となされる一方、バルコニーの外側は、合成木材間に目地材が凹設されて合成木材の横格子が強調されるようになされたことを特徴とするバルコニー手摺り壁構造。
【発明の詳細な説明】
【０００１】
【発明の属する技術分野】
本発明は、合成木材を使用したバルコニーの手摺り壁構造に関するものである。
【０００２】
【従来の技術】
従来より、住宅のバルコニーに使用されている手摺り壁としては、例えば、外壁と同じ材質で構成されたパネルを使用したり、アルミ鋼材で構成された鋼製フレームにパンチングメタルを貼り付けたものなどを使用したりすることが行われている。
【０００３】
【発明が解決しようとする課題】
しかし、上記従来の手摺り壁は、外壁と同等のパネルによる場合、住宅の外観にあまり変化が無く、鋼製フレームによる場合、住宅の外観が鋼材による冷たい印象になってしまうので、木材のような自然な風合いを得ることができない。
【０００４】
そのため、このような手摺り壁に木材を使用することが考えられるが、この場合、外壁や鋼製フレームと同等の耐候性を得ることができない。
【０００５】
本発明は、係る実情に鑑みてなされたものであって、通風性、安全性、耐久性を確保できるとともに、自然な風合いを得ることができるバルコニー手摺り壁構造を提供することを目的としている。
【０００６】
【課題を解決するための手段】
上記課題を解決するための本発明のバルコニー手摺り壁構造は、長手方向に沿った両側部に溝部が形成されてなる複数本の合成木材が、バルコニー周縁に立設されたバルコニーフレームの外側に、水平方向に沿って並行するように、間隙を存して設けられてなり、これら合成木材の間隙には、断面略コ字状の溝形となされ、溝底に複数の通気孔が穿孔されてなる長尺の目地材が、合成木材の溝部に嵌め込むようにして設けられ、バルコニーの内側は、これら合成木材と目地材とが略面一となされる一方、バルコニーの外側は、合成木材間に目地材が凹設されて合成木材の横格子が強調されるようになされたものである。
【０００７】
この構成により、バルコニーの内側は、合成木材と目地材とが略面一となされるので、この部分を子供がよじ登るといったことを防止できる。
【０００８】
また、バルコニーの外側は、合成木材間に目地材が凹設されて合成木材の横格子が強調されるので、バルコニーの水平ラインが強調されて広がり感があり、しかも合成木材による自然な風合いが生かされることとなる。
【０００９】
さらに、合成木材による耐久性が得られるとともに、目地材の溝底に通風孔を設けているので、適宜な通風性も得られることとなる。
【００１０】
【発明の実施の形態】
以下、本発明の実施の形態を図面を参照して説明する。
【００１１】
図１は本発明に係るバルコニー手摺り壁構造の全体構成の概略を示し、図２は同手摺り壁構造に使用されている合成木材２および目地材３を示し、図３ないし図４は、同手摺り壁構造の各部断面図を示している。
【００１２】
すなわち、このバルコニー手摺り壁構造は、バルコニーフレーム１の外側に合成木材２が設けられ、この合成木材２の間隙Ｄに目地材３が設けられている。
【００１３】
バルコニーフレーム１は、鋼製の形材１１を組み合わせて構成されており、バルコニー１０の周縁に立設される。
【００１４】
合成木材２は、木粉と樹脂との混合物による押出成形材であって、長尺の板状に形成されている。この合成木材２は、表面２１の幅より裏面２２の幅の方が広くなるように、両側部にテーパ面２３が形成されている。このテーパ面２３の裏面２２側近傍の位置には長手方向に沿って溝部２４が設けられている。また、図２（ａ）に示すように、合成木材２の裏面２２には、合成木材２の端部から長手方向に沿って断面略Ｔ字状の切込み２０が設けられている。この切込み２０には、係止片４１を有するボルト４の係止片４１の部分が嵌め込まれる。そして、図４ないし図６に示すように、この合成木材２の切込み２０から突出するボルト本体４２の部分を、バルコニーフレーム１を構成する形材１１にナット５で固定することによって、合成木材２の両端部は、バルコニーフレーム１に固定される。また、合成木材２の中間部は、図７に示すように、ビス６によって、バルコニーフレーム１を構成する形材１１に固定される。このボルト本体４２とナット５との固定部分やビス６は、バルコニーフレーム１が形材１１同士を組み合わせて構成しているため、形材１１の内部に隠されることとなる。
【００１５】
この合成木材２は、図１に示すように、複数本が水平方向に沿って並行するように設けられる。また、この状態で、並行する合成木材２同士の間には、間隙Ｄを形成し、この間隙Ｄに目地材３が設けられる。
【００１６】
目地材３は、断面略コ字状の溝形に形成された長尺の鋼材からなる。この目地材３の両側の立ち上がり片３１は、前記合成木材２の溝部２４に合致する形状となされている。また、目地材３の溝底３２には、長手方向に沿って複数の通気孔３０が穿孔されている。
【００１７】
この目地材３は、両側の立ち上がり片３１を、間隙Ｄを挟んで対向する合成木材２同士の溝部２４間に嵌め込むことによって、この並行する合成木材２同士の間隙Ｄに取り付けられる。この状態で、図２（ａ）に示すように、合成木材２の裏面２２と、目地材３とは、面一となる。したがって、バルコニー内には、引っ掛かりとなる部分ができないので、子供がバルコニーをよじ登るといったことを防止することができ、安全性を確保することができる。
【００１８】
また、図２（ｂ）に示すように、合成木材２の表面２１からは、間隙Ｄの部分にテーパ面２３があり、さらにその奥部に目地材３が凹設されることとなるので、並行する合成木材２同士の間隙Ｄが強調されることとなる。したがって、バルコニーの外部からは、合成木材２と間隙Ｄとによって水平ラインが強調されて広がり感のあるバルコニーが得られる。また、合成木材２によって今までに無かった自然な風合いが生かされ、おおらかさと暖かさが演出される。また、この合成木材２は、木の風合いによって鉢植えなどとも良く合うので、このバルコニーに鉢植えなどを置いたりして園芸などを楽しむことができる。
【００１９】
さらに、この合成木材２の間隙Ｄの奥部に凹設される目地材３には、通風孔３０を設けているので、適宜な通風性も得られる。
【００２０】
バルコニーフレーム１の上辺部分には、合成木材２の部分も被覆するように笠木７が設けられて仕上げられる。また、笠木７上には手摺り８が設けられる。こ手摺り８は、バルコニーフレーム１に固定した支持部材８１を介して固定される。
【００２１】
【発明の効果】
以上述べたように、本発明によると、通風性、安全性、耐久性を確保できるとともに、自然な風合いを得ることができる。
【図面の簡単な説明】
【図１】（ａ）および（ｂ）は、本発明に係るバルコニー手摺り壁構造によるバルコニーを示す正面図および側面図である。
【図２】（ａ）および（ｂ）は、本発明に係るバルコニー手摺り壁構造に使用されている合成木材と目地材とを裏面側および表面側から見た部分斜視図である。
【図３】図１におけるI-I 線断面図である。
【図４】図１におけるII-II 線断面図である。
【図５】図１におけるIII-III 線断面図である。
【図６】図１におけるIV-IV 線断面図である。
【図７】図１におけるV-V 線断面図である。
【符号の説明】
１  バルコニーフレーム
２  合成木材
２４  溝部
３  目地材
３０  通気孔
Ｄ  間隙
【図１】
0003731861.tif 000002
【図２】
0003731861.tif 000003
【図３】
0003731861.tif 000004
【図４】
0003731861.tif 000005
【図５】
0003731861.tif 000006
【図６】
0003731861.tif 000007
【図７】
0003731861.tif 000008